(57)【特許請求の範囲】
【請求項１】
着信側電話機および前記着信側電話機と通信可能なサーバを備える電話システムであって、
前記サーバは、
前記着信側電話機に発信しようとする発信側電話機から受信したワンタイムパスワード発行要求が正当か否かを判定する認証処理部と、
当該ワンタイムパスワード発行要求が正当であったなら、前記着信側電話機にワンタイムパスワード取得要求を送信し、前記着信側電話機から前記ワンタイムパスワード取得要求に対して送信されたワンタイムパスワードを受信するワンタイムパスワード取得部と、
当該ワンタイムパスワードを前記発信側電話機に送信するワンタイムパスワード送信部とを備え、
前記着信側電話機は、
前記ワンタイムパスワード取得要求を受信するとともにワンタイムパスワードを前記サーバに送信するワンタイムパスワード送信部と、
当該ワンタイムパスワードを生成するワンタイムパスワード生成部と、
当該ワンタイムパスワードが記憶されるワンタイムパスワード記憶部と、
前記着信側電話機に発信しようとする発信側電話機から発信があったなら、発信で使用された着信側電話番号に付与されたサブアドレスが、前記ワンタイムパスワード記憶部におけるワンタイムパスワードに一致するか否かを判定する認証処理部と、
前記サブアドレスが当該ワンタイムパスワードに一致したなら、当該発信に関して所定の動作が行われるようにする制御部とを備える
ことを特徴とする電話システム。
【請求項２】
着信側電話機および前記着信側電話機と通信可能なサーバを備える電話システムであって、
前記サーバは、
前記着信側電話機に発信しようとする発信側電話機から受信したワンタイムパスワード発行要求が正当か否かを判定する認証処理部と、
当該ワンタイムパスワード発行要求が正当であったなら、前記着信側電話機に対し、当該ワンタイムパスワード発行要求に含まれた発信側電話番号を含むワンタイムパスワード取得要求を送信し、前記着信側電話機から前記ワンタイムパスワード取得要求に対して送信されたワンタイムパスワードを受信するワンタイムパスワード取得部と、
当該ワンタイムパスワードを前記発信側電話機に送信するワンタイムパスワード送信部とを備え、
前記着信側電話機は、
前記ワンタイムパスワード取得要求を受信するとともにワンタイムパスワードを前記サーバに送信するワンタイムパスワード送信部と、
前記ワンタイムパスワード取得要求が受信されたなら、当該ワンタイムパスワードを生成するワンタイムパスワード生成部と、
当該ワンタイムパスワードが前記ワンタイムパスワード取得要求に含まれる発信側電話番号に対応づけられて記憶されるワンタイムパスワード記憶部と、
前記着信側電話機に発信しようとする発信側電話機から発信があったなら、発信で使用された着信側電話番号に付与されたサブアドレスが、前記ワンタイムパスワード記憶部において当該発信で使用された発信側電話番号に対応づけられたワンタイムパスワードに一致する否かを判定する認証処理部と、
前記サブアドレスが当該ワンタイムパスワードに一致したなら、当該発信に関して所定の動作が行われるようにする制御部とを備える
ことを特徴とする電話システム。
【請求項３】
着信側電話機および前記着信側電話機と通信可能なサーバを備える電話システムであって、
前記サーバは、
前記着信側電話機に発信しようとする発信側電話機から受信したワンタイムパスワード発行要求が正当か否かを判定する認証処理部と、
当該ワンタイムパスワード発行要求が正当であったなら、前記着信側電話機に対し、当該ワンタイムパスワード発行要求に含まれた着信側電話番号を含むワンタイムパスワード取得要求を送信し、前記着信側電話機から前記ワンタイムパスワード取得要求に対して送信されたワンタイムパスワードを受信するワンタイムパスワード取得部と、
当該ワンタイムパスワードを前記発信側電話機に送信するワンタイムパスワード送信部とを備え、
前記着信側電話機は、
前記ワンタイムパスワード取得要求を受信するとともにワンタイムパスワードを前記サーバに送信するワンタイムパスワード送信部と、
前記ワンタイムパスワード取得要求が受信されたなら、当該ワンタイムパスワードを生成するワンタイムパスワード生成部と、
当該ワンタイムパスワードが前記ワンタイムパスワード取得要求に含まれる着信側電話番号に対応づけられて記憶されるワンタイムパスワード記憶部と、
前記着信側電話機に発信しようとする発信側電話機から発信があったなら、発信で使用された着信側電話番号に付与されたサブアドレスが、前記ワンタイムパスワード記憶部において当該着信側電話番号に対応づけられたワンタイムパスワードに一致する否かを判定する認証処理部と、
前記サブアドレスが当該ワンタイムパスワードに一致したなら、当該発信に関して所定の動作が行われるようにする制御部とを備える
ことを特徴とする電話システム。
【請求項４】
着信側電話機および前記着信側電話機と通信可能なサーバを備える電話システムの動作方法であって、
前記サーバの認証処理部が、前記着信側電話機に発信しようとする発信側電話機から受信したワンタイムパスワード発行要求が正当か否かを判定し、
前記サーバのワンタイムパスワード取得部が、当該ワンタイムパスワード発行要求が正当であったなら、前記着信側電話機にワンタイムパスワード取得要求を送信し、
前記着信側電話機のワンタイムパスワード送信部が前記ワンタイムパスワード取得要求を受信し、前記着信側電話機のワンタイムパスワード記憶部に記憶されたワンタイムパスワードを前記サーバに送信し、
前記サーバのワンタイムパスワード取得部が、当該ワンタイムパスワードを受信し、
前記サーバのワンタイムパスワード送信部が、当該ワンタイムパスワードを前記発信側電話機に送信し、
前記着信側電話機の認証処理部が、前記着信側電話機に発信しようとする発信側電話機から発信があったなら、発信で使用された着信側電話番号に付与されたサブアドレスが、前記ワンタイムパスワード記憶部におけるワンタイムパスワードに一致するか否かを判定し、
前記着信側電話機の制御部が、前記サブアドレスが当該ワンタイムパスワードに一致したなら、当該発信に関して所定の動作が行われるようにする
ことを特徴とする電話システムの動作方法。
【請求項５】
着信側電話機および前記着信側電話機と通信可能なサーバを備える電話システムの動作方法であって、
前記サーバの認証処理部が、前記着信側電話機に発信しようとする発信側電話機から受信したワンタイムパスワード発行要求が正当か否かを判定し、
前記サーバのワンタイムパスワード取得部が、当該ワンタイムパスワード発行要求が正当であったなら、前記着信側電話機に対し、当該ワンタイムパスワード発行要求に含まれた発信側電話番号を含むワンタイムパスワード取得要求を送信し、
前記着信側電話機のワンタイムパスワード送信部が、前記ワンタイムパスワード取得要求を受信し、
前記着信側電話機のワンタイムパスワード生成部が、前記ワンタイムパスワード取得要求が受信されたなら、当該ワンタイムパスワードを生成し、前記着信側電話機のワンタイムパスワード記憶部に当該ワンタイムパスワードを前記ワンタイムパスワード取得要求に含まれる発信側電話番号に対応づけて記憶させ、
前記着信側電話機のワンタイムパスワード送信部が、当該ワンタイムパスワードを前記サーバに送信し、
前記サーバのワンタイムパスワード取得部が、当該ワンタイムパスワードを受信し、
前記サーバのワンタイムパスワード送信部が、当該ワンタイムパスワードを前記発信側電話機に送信し、
前記着信側電話機の認証処理部が、前記着信側電話機に発信しようとする発信側電話機から発信があったなら、発信で使用された着信側電話番号に付与されたサブアドレスが、前記ワンタイムパスワード記憶部において当該発信で使用された発信側電話番号に対応づけられたワンタイムパスワードに一致する否かを判定し、
前記着信側電話機の制御部が、前記サブアドレスが当該ワンタイムパスワードに一致したなら、当該発信に関して所定の動作が行われるようにする
ことを特徴とする電話システムの動作方法。
【請求項６】
着信側電話機および前記着信側電話機と通信可能なサーバを備える電話システムの動作方法であって、
前記サーバの認証処理部が、前記着信側電話機に発信しようとする発信側電話機から受信したワンタイムパスワード発行要求が正当か否かを判定し、
前記サーバのワンタイムパスワード取得部が、当該ワンタイムパスワード発行要求が正当であったなら、前記着信側電話機に対し、当該ワンタイムパスワード発行要求に含まれた着信側電話番号を含むワンタイムパスワード取得要求を送信し、
前記着信側電話機のワンタイムパスワード送信部が、前記ワンタイムパスワード取得要求を受信し、
前記着信側電話機のワンタイムパスワード生成部が、前記ワンタイムパスワード取得要求が受信されたなら、当該ワンタイムパスワードを生成し、前記着信側電話機のワンタイムパスワード記憶部に当該ワンタイムパスワードを前記ワンタイムパスワード取得要求に含まれる着信側電話番号に対応づけて記憶させ、
前記着信側電話機のワンタイムパスワード送信部が、当該ワンタイムパスワードを前記サーバに送信し、
前記サーバのワンタイムパスワード取得部が、当該ワンタイムパスワードを受信し、
前記サーバのワンタイムパスワード送信部が、当該ワンタイムパスワードを前記発信側電話機に送信し、
前記着信側電話機の認証処理部が、前記着信側電話機に発信しようとする発信側電話機から発信があったなら、発信で使用された着信側電話番号に付与されたサブアドレスが、前記ワンタイムパスワード記憶部において当該着信側電話番号に対応づけられたワンタイムパスワードに一致する否かを判定し、
前記着信側電話機の制御部が、前記サブアドレスが当該ワンタイムパスワードに一致したなら、当該発信に関して所定の動作が行われるようにする
ことを特徴とする電話システムの動作方法。
【発明の詳細な説明】
【技術分野】
【０００１】
本発明は、サーバに正当なワンタイムパスワード発行要求を送信すれば、どの発信側電話機から発信した場合でも、着信側電話機が所定の動作を行うようにできる電話システムおよびその動作方法に関するものである。
【背景技術】
【０００２】
従来において、図１６に示すように、例えば、着信側電話機１ａは、発信側電話機３ａから発信があったなら、発信側電話番号を確認し、これが予め設定された発信側電話番号ならスピーカなどを鳴動し、そうでなければ、留守番電話録音、切断、転送などを行うように動作させることができる。
【先行技術文献】
【特許文献】
【０００３】
【特許文献１】特開平０２−２６０７４５号公報
【発明の概要】
【発明が解決しようとする課題】
【０００４】
発信側電話番号が予め着信側電話機１ａに設定されている場合とは、例えば、着信側電話機１ａが自宅の固定電話機であり、発信側電話機３ａが住人の携帯電話機である場合である。
【０００５】
つまり、住人は発信側電話機３ａを持ち出し、着信側電話機１ａに発信する。これにより、着信側電話機１ａが鳴動するので、住人と家族の通話が可能となる。
【０００６】
しかし、住人が発信側電話機３ａを置き忘れて出かけ、出先の電話機から着信側電話機１ａに発信した場合、出先の電話機の電話番号（発信側電話番号）は、着信側電話機１ａに設定されていないので、着信側電話機１ａは鳴動せず、家族と通話できないという不都合がある。
【０００７】
例えば、着信側電話機１ａにパスワードを設定し、出先の電話機からであっても、パスワードが送信されれば、着信側電話機１ａを鳴動させるという方法がある。この方法ならば、住人は家族と通話できる。
【０００８】
しかし、着信側電話機１ａにパスワードを設定すると、着信側電話機１ａは、サーバのように、どこからでもアクセスできないので、パスワードを変更したい場合は、自宅などに帰り、着信側電話機１ａを操作しなければならず、不便である。また、不便であるゆえに変更されないパスワードがいずれ漏洩し、第三者により着信側電話機１ａが鳴動させられる虞がある。
【０００９】
本発明は、上記の課題に鑑みてなされたものであり、その目的とするところは、サーバに正当なワンタイムパスワード発行要求を送信すれば、どの発信側電話機から発信した場合でも、着信側電話機が所定の動作を行うようにできる電話システムおよびその動作方法を提供することにある。
【課題を解決するための手段】
【００１０】
上記の課題を解決するために、第１の本発明は、着信側電話機および前記着信側電話機と通信可能なサーバを備える電話システムであって、前記サーバは、前記着信側電話機に発信しようとする発信側電話機から受信したワンタイムパスワード発行要求が正当か否かを判定する認証処理部と、当該ワンタイムパスワード発行要求が正当であったなら、前記着信側電話機にワンタイムパスワード取得要求を送信し、前記着信側電話機から前記ワンタイムパスワード取得要求に対して送信されたワンタイムパスワードを受信するワンタイムパスワード取得部と、当該ワンタイムパスワードを前記発信側電話機に送信するワンタイムパスワード送信部とを備え、前記着信側電話機は、前記ワンタイムパスワード取得要求を受信するとともにワンタイムパスワードを前記サーバに送信するワンタイムパスワード送信部と、当該ワンタイムパスワードを生成するワンタイムパスワード生成部と、当該ワンタイムパスワードが記憶されるワンタイムパスワード記憶部と、前記着信側電話機に発信しようとする発信側電話機から発信があったなら、発信で使用された着信側電話番号に付与されたサブアドレスが、前記ワンタイムパスワード記憶部におけるワンタイムパスワードに一致するか否かを判定する認証処理部と、前記サブアドレスが当該ワンタイムパスワードに一致したなら、当該発信に関して所定の動作が行われるようにする制御部とを備えることを特徴とする。
【００１１】
第２の本発明は、着信側電話機および前記着信側電話機と通信可能なサーバを備える電話システムであって、前記サーバは、前記着信側電話機に発信しようとする発信側電話機から受信したワンタイムパスワード発行要求が正当か否かを判定する認証処理部と、当該ワンタイムパスワード発行要求が正当であったなら、前記着信側電話機に対し、当該ワンタイムパスワード発行要求に含まれた発信側電話番号を含むワンタイムパスワード取得要求を送信し、前記着信側電話機から前記ワンタイムパスワード取得要求に対して送信されたワンタイムパスワードを受信するワンタイムパスワード取得部と、当該ワンタイムパスワードを前記発信側電話機に送信するワンタイムパスワード送信部とを備え、前記着信側電話機は、前記ワンタイムパスワード取得要求を受信するとともにワンタイムパスワードを前記サーバに送信するワンタイムパスワード送信部と、前記ワンタイムパスワード取得要求が受信されたなら、当該ワンタイムパスワードを生成するワンタイムパスワード生成部と、当該ワンタイムパスワードが前記ワンタイムパスワード取得要求に含まれる発信側電話番号に対応づけられて記憶されるワンタイムパスワード記憶部と、前記着信側電話機に発信しようとする発信側電話機から発信があったなら、発信で使用された着信側電話番号に付与されたサブアドレスが、前記ワンタイムパスワード記憶部において当該発信で使用された発信側電話番号に対応づけられたワンタイムパスワードに一致する否かを判定する認証処理部と、前記サブアドレスが当該ワンタイムパスワードに一致したなら、当該発信に関して所定の動作が行われるようにする制御部とを備えることを特徴とする。
【００１２】
第３の本発明は、着信側電話機および前記着信側電話機と通信可能なサーバを備える電話システムであって、前記サーバは、前記着信側電話機に発信しようとする発信側電話機から受信したワンタイムパスワード発行要求が正当か否かを判定する認証処理部と、当該ワンタイムパスワード発行要求が正当であったなら、前記着信側電話機に対し、当該ワンタイムパスワード発行要求に含まれた着信側電話番号を含むワンタイムパスワード取得要求を送信し、前記着信側電話機から前記ワンタイムパスワード取得要求に対して送信されたワンタイムパスワードを受信するワンタイムパスワード取得部と、当該ワンタイムパスワードを前記発信側電話機に送信するワンタイムパスワード送信部とを備え、前記着信側電話機は、前記ワンタイムパスワード取得要求を受信するとともにワンタイムパスワードを前記サーバに送信するワンタイムパスワード送信部と、前記ワンタイムパスワード取得要求が受信されたなら、当該ワンタイムパスワードを生成するワンタイムパスワード生成部と、当該ワンタイムパスワードが前記ワンタイムパスワード取得要求に含まれる着信側電話番号に対応づけられて記憶されるワンタイムパスワード記憶部と、前記着信側電話機に発信しようとする発信側電話機から発信があったなら、発信で使用された着信側電話番号に付与されたサブアドレスが、前記ワンタイムパスワード記憶部において当該着信側電話番号に対応づけられたワンタイムパスワードに一致する否かを判定する認証処理部と、前記サブアドレスが当該ワンタイムパスワードに一致したなら、当該発信に関して所定の動作が行われるようにする制御部とを備えることを特徴とする。
【００１３】
第４の本発明は、着信側電話機および前記着信側電話機と通信可能なサーバを備える電話システムの動作方法であって、前記サーバの認証処理部が、前記着信側電話機に発信しようとする発信側電話機から受信したワンタイムパスワード発行要求が正当か否かを判定し、前記サーバのワンタイムパスワード取得部が、当該ワンタイムパスワード発行要求が正当であったなら、前記着信側電話機にワンタイムパスワード取得要求を送信し、前記着信側電話機のワンタイムパスワード送信部が前記ワンタイムパスワード取得要求を受信し、前記着信側電話機のワンタイムパスワード記憶部に記憶されたワンタイムパスワードを前記サーバに送信し、前記サーバのワンタイムパスワード取得部が、当該ワンタイムパスワードを受信し、前記サーバのワンタイムパスワード送信部が、当該ワンタイムパスワードを前記発信側電話機に送信し、前記着信側電話機の認証処理部が、前記着信側電話機に発信しようとする発信側電話機から発信があったなら、発信で使用された着信側電話番号に付与されたサブアドレスが、前記ワンタイムパスワード記憶部におけるワンタイムパスワードに一致するか否かを判定し、前記着信側電話機の制御部が、前記サブアドレスが当該ワンタイムパスワードに一致したなら、当該発信に関して所定の動作が行われるようにすることを特徴とする。
【００１４】
第５の本発明は、着信側電話機および前記着信側電話機と通信可能なサーバを備える電話システムの動作方法であって、前記サーバの認証処理部が、前記着信側電話機に発信しようとする発信側電話機から受信したワンタイムパスワード発行要求が正当か否かを判定し、前記サーバのワンタイムパスワード取得部が、当該ワンタイムパスワード発行要求が正当であったなら、前記着信側電話機に対し、当該ワンタイムパスワード発行要求に含まれた発信側電話番号を含むワンタイムパスワード取得要求を送信し、前記着信側電話機のワンタイムパスワード送信部が、前記ワンタイムパスワード取得要求を受信し、前記着信側電話機のワンタイムパスワード生成部が、前記ワンタイムパスワード取得要求が受信されたなら、当該ワンタイムパスワードを生成し、前記着信側電話機のワンタイムパスワード記憶部に当該ワンタイムパスワードを前記ワンタイムパスワード取得要求に含まれる発信側電話番号に対応づけて記憶させ、前記着信側電話機のワンタイムパスワード送信部が、当該ワンタイムパスワードを前記サーバに送信し、前記サーバのワンタイムパスワード取得部が、当該ワンタイムパスワードを受信し、前記サーバのワンタイムパスワード送信部が、当該ワンタイムパスワードを前記発信側電話機に送信し、前記着信側電話機の認証処理部が、前記着信側電話機に発信しようとする発信側電話機から発信があったなら、発信で使用された着信側電話番号に付与されたサブアドレスが、前記ワンタイムパスワード記憶部において当該発信で使用された発信側電話番号に対応づけられたワンタイムパスワードに一致する否かを判定し、前記着信側電話機の制御部が、前記サブアドレスが当該ワンタイムパスワードに一致したなら、当該発信に関して所定の動作が行われるようにすることを特徴とする。
【００１５】
第６の本発明は、着信側電話機および前記着信側電話機と通信可能なサーバを備える電話システムの動作方法であって、前記サーバの認証処理部が、前記着信側電話機に発信しようとする発信側電話機から受信したワンタイムパスワード発行要求が正当か否かを判定し、前記サーバのワンタイムパスワード取得部が、当該ワンタイムパスワード発行要求が正当であったなら、前記着信側電話機に対し、当該ワンタイムパスワード発行要求に含まれた着信側電話番号を含むワンタイムパスワード取得要求を送信し、前記着信側電話機のワンタイムパスワード送信部が、前記ワンタイムパスワード取得要求を受信し、前記着信側電話機のワンタイムパスワード生成部が、前記ワンタイムパスワード取得要求が受信されたなら、当該ワンタイムパスワードを生成し、前記着信側電話機のワンタイムパスワード記憶部に当該ワンタイムパスワードを前記ワンタイムパスワード取得要求に含まれる着信側電話番号に対応づけて記憶させ、前記着信側電話機のワンタイムパスワード送信部が、当該ワンタイムパスワードを前記サーバに送信し、前記サーバのワンタイムパスワード取得部が、当該ワンタイムパスワードを受信し、前記サーバのワンタイムパスワード送信部が、当該ワンタイムパスワードを前記発信側電話機に送信し、前記着信側電話機の認証処理部が、前記着信側電話機に発信しようとする発信側電話機から発信があったなら、発信で使用された着信側電話番号に付与されたサブアドレスが、前記ワンタイムパスワード記憶部において当該着信側電話番号に対応づけられたワンタイムパスワードに一致する否かを判定し、前記着信側電話機の制御部が、前記サブアドレスが当該ワンタイムパスワードに一致したなら、当該発信に関して所定の動作が行われるようにすることを特徴とする。
【発明の効果】
【００１６】
本発明によれば、サーバに正当なワンタイムパスワード発行要求を送信すれば、どの発信側電話機から発信した場合でも、着信側電話機が所定の動作を行うようにできる。
【図面の簡単な説明】
【００１７】
【図１】第１の実施の形態に係る電話システムの構成を示す図である。
【図２】ログイン情報記憶部２３の構成の一例を示す図である。
【図３】発信許可者情報記憶部２４の構成の一例を示す図である。
【図４】ワンタイムパスワード取得要求送信先記憶部２６の構成の一例を示す図である。
【図５】第１の実施の形態における電話システム１Ａの動作方法の一部を示すシーケンス図である。
【図６】第１の実施の形態における電話システム１Ａの動作方法の一部を示すシーケンス図である。
【図７】ステップＳ１５の判定を詳細に示すフローチャートである。
【図８】着信側電話機１における発信後の詳細なフローチャートである。
【図９】第２の実施の形態におけるワンタイムパスワード記憶部１４の構成の一例を示す図である。
【図１０】第２の実施の形態における電話システム１Ａの動作方法の一部を示すシーケンス図である。
【図１１】第２の実施の形態における電話システム１Ａの動作方法の一部を示すシーケンス図である。
【図１２】第３の実施の形態におけるワンタイムパスワード記憶部１４の構成の一例を示す図である。
【図１３】第３の実施の形態における電話システム１Ａの動作方法の一部を示すシーケンス図である。
【図１４】第３の実施の形態における電話システム１Ａの動作方法の一部を示すシーケンス図である。
【図１５】第４の実施の形態における電話システム１Ａの動作方法を示すシーケンス図である。
【図１６】従来における電話システムの動作方法の一例を示す図である。
【発明を実施するための形態】
【００１８】
以下、本発明の実施の形態について図面を参照して説明する。
【００１９】
［第１の実施の形態］
図１は、第１の実施の形態に係る電話システムの構成を示す図である。  
電話システム１Ａは、着信側電話機１および着信側電話機１と通信可能なサーバ２を備える。着信側電話機１とサーバ２の間には、図示しないインターネットなどの通信網が存在する。
【００２０】
着信側電話機１は、多くの場合、複数設けられるが、ここでは１つのみを示している。着信側電話機１は、発信側電話機３（着信側電話機１と同様に、１つのみを示している。）と回線で接続されている。回線とは、図示しない交換機などを含む。
【００２１】
着信側電話機１、発信側電話機３は、それぞれマイクロフォン、スピーカ、表示部、キーボードなどのインタフェースを備える。
【００２２】
発信側電話機３は、マイクロフォンなどのインタフェースを制御するインタフェース制御部である制御部３１と、キーボードなどから入力された情報をサーバ２に送信し、サーバ２から送信された情報を受信するウェブブラウザ３２と、着信側電話機１との接続制御を行う接続制御部３３とを備える。
【００２３】
発信側電話機３のウェブブラウザ３２は、着信側電話機に発信しようとする場合、キーボードなどから入力されたログイン情報および着信側電話番号を含むワンタイムパスワード発行要求をサーバ２に送信する。
【００２４】
サーバ２は、ワンタイムパスワード発行要求を受信するとともに、着信側電話機１から送信されるワンタイムパスワード（数字列）をウェブブラウザ３２に送信するウェブサーバであるワンタイムパスワード送信部２１と、ワンタイムパスワード発行要求が正当か否かを判定する認証処理部２２と、正当なログイン情報が予め記憶されるログイン情報記憶部２３と、着信側電話機１に発信する権限を有する発信者に関する情報が予め記憶される発信許可者情報記憶部２４と、ワンタイムパスワード発行要求が正当であるなら、着信側電話機１にワンタイムパスワード取得要求を送信し、着信側電話機１からワンタイムパスワード取得要求に対して送信されるワンタイムパスワードを受信するワンタイムパスワード取得部２５と、着信側電話機１の着信側電話番号およびＩＰアドレスが予め対応づけて記憶されるワンタイムパスワード取得要求送信先記憶部２６を備える。
【００２５】
着信側電話機１は、マイクロフォンなどのインタフェースを制御し、発信側電話機３からの発信で使用された着信側電話番号に付与されたサブアドレスがワンタイムパスワードに一致したなら、スピーカを鳴動させるインタフェース制御部である制御部１１と、発信側電話機３との接続制御を行う接続制御部１２と、ワンタイムパスワードを生成するワンタイムパスワード生成部１３と、ワンタイムパスワードが記憶されるワンタイムパスワード記憶部１４と、ワンタイムパスワードをサーバ２に送信するワンタイムパスワード送信部１５と、発信側電話機３から発信があったなら、発信で使用された着信側電話番号に付与されたサブアドレスがワンタイムパスワード記憶部１４におけるワンタイムパスワードに一致するか否かを判定する認証処理部１６と、留守番電話録音を行う留守番電話録音部１７とを備える。
【００２６】
図２は、ログイン情報記憶部２３の構成の一例を示す図である。  
ログイン情報記憶部２３には、１以上の発信者（発信側電話機３を操作するユーザ）につき、発信者を示す発信者ＩＤおよびログインパスワードからなるログイン情報が予め記憶されている。
【００２７】
図３は、発信許可者情報記憶部２４の構成の一例を示す図である。  
発信許可者情報記憶部２４には、発信者および発信者が発信の権限を有する着信側電話機の組み合わせのそれぞれにつき、発信者を示す発信者ＩＤおよび着信側電話機を示す着信側電話番号からなるレコードが予め記憶されている。
【００２８】
図４は、ワンタイムパスワード取得要求送信先記憶部２６の構成の一例を示す図である。
【００２９】
ワンタイムパスワード取得要求送信先記憶部２６には、発信許可者情報記憶部２４の各着信側電話番号につき、着信側電話番号および対応する着信側電話機１のＩＰアドレスからなるレコードが予め記憶されている。ＩＰアドレスは、ワンタイムパスワード取得要求の送信先を示すものである。
【００３０】
次に、図５、図６を参照して、第１の実施の形態における電話システム１Ａの動作方法を説明する。
【００３１】
図５において、着信側電話機１の制御部１１は、着信側電話機１の電源をオンにする操作があったなら、ワンタイムパスワード生成部１３にワンタイムパスワードを生成するよう指示する（Ｓ１）。ワンタイムパスワード生成部１３は、ワンタイムパスワードを生成し、ワンタイムパスワード記憶部１４に記憶させる（Ｓ３）。
【００３２】
一方、発信者は、着信側電話機１に発信しようとする場合、発信側電話機３のキーボードを操作し、自身の発信者ＩＤおよびログインパスワードからなるログイン情報、ならびに、発信しようとする着信側電話機１の着信側電話番号を入力する。
【００３３】
発信側電話機３の制御部３１は、ログイン情報および着信側電話番号を取得し、ログイン情報および着信側電話番号をウェブブラウザ３２に送信する（Ｓ１１）。ウェブブラウザ３２は、ログイン情報および着信側電話番号からなるワンタイムパスワード発行要求をサーバ２に送信する（Ｓ１３）。
【００３４】
サーバ２のワンタイムパスワード送信部２１は、ワンタイムパスワード発行要求を受信し、認証処理部２２に送信する。
【００３５】
認証処理部２２は、ワンタイムパスワード発行要求が正当か否かを判定する（Ｓ１５）。
【００３６】
図７は、ステップＳ１５の判定を詳細に示すフローチャートである。  
認証処理部２２は、ワンタイムパスワード取得要求に含まれるログイン情報がログイン情報記憶部２３に記憶されているか否かを判定する（Ｓ１５１）。認証処理部２２は、ログイン情報がログイン情報記憶部２３に記憶されているなら（Ｓ１５１：ＹＥＳ）、ログイン情報内の発信者ＩＤが発信許可者情報記憶部２４に記憶されているか否かを判定する（Ｓ１５３）、つまり、発信者が発信の権限を有するか否かを判定する（Ｓ１５３）。認証処理部２２は、発信者ＩＤが発信許可者情報記憶部２４に記憶されているなら（Ｓ１５３：ＹＥＳ）、ワンタイムパスワード取得部２５に着信側電話番号を送信するとともに、ワンタイムパスワードを取得するよう指示し（Ｓ１５５）、処理を終える。
【００３７】
一方、認証処理部２２は、ログイン情報がログイン情報記憶部２３に記憶されていないなら（Ｓ１５１：ＮＯ）、または、発信者ＩＤが発信許可者情報記憶部２４に記憶されていないなら（Ｓ１５３：ＮＯ）、ワンタイムパスワード送信部２１を通じて、発信側電話機３に対し、発信を許可しない旨の通知を送信し（Ｓ１５７）、処理を終える。
【００３８】
図５に戻り、ワンタイムパスワード取得部２５は、ワンタイムパスワードを取得するよう指示されたなら、ワンタイムパスワード取得要求送信先記憶部２６から、着信側電話番号を含むレコードを検索するとともに、レコードからＩＰアドレスを読み出し（Ｓ１７）、ＩＰアドレスに対応する着信側電話機１にワンタイムパスワード取得要求を送信する（Ｓ１９）。ワンタイムパスワード取得要求には、サーバ２および着信側電話機１のＩＰアドレスが含まれる。
【００３９】
着信側電話機１のワンタイムパスワード送信部１５は、ワンタイムパスワード取得要求内のサーバ２のＩＰアドレスが予め記憶したＩＰアドレスであるか否か、つまり、サーバ２が許可されたサーバか否かを判定し（Ｓ２１）、そうであるなら、ワンタイムパスワード生成部１３にワンタイムパスワードを要求する（Ｓ２３）。
【００４０】
ワンタイムパスワード生成部１３は、ワンタイムパスワード記憶部１４からワンタイムパスワードを読み出し（Ｓ２５）、ワンタイムパスワード送信部１５に送信する（Ｓ２７）。
【００４１】
ワンタイムパスワード送信部１５は、ワンタイムパスワードをサーバ２に送信する（Ｓ２９）。
【００４２】
サーバ２のワンタイムパスワード取得部２５は、ワンタイムパスワードを受信し、認証処理部２２に送信する（Ｓ３１）。
【００４３】
認証処理部２２は、ワンタイムパスワードを受信し、ワンタイムパスワード送信部２１に送信する（Ｓ３３）。
【００４４】
ワンタイムパスワード送信部２１は、ワンタイムパスワードを受信し、発信側電話機３のウェブブラウザ３２に送信する（Ｓ３５）。
【００４５】
図６に進み、ウェブブラウザ３２は、受信したワンタイムパスワードと同じサブアドレス、ならびにワンタイムパスワード発行要求に含まれる着信側電話番号を含む発信指示を接続制御部３３に送信する（Ｓ３７）。
【００４６】
接続制御部３３は、発信指示に含まれた着信側電話番号に対応する着信側電話機１に発信する（Ｓ３９）。接続制御部３３は、このとき、着信側電話番号にサブアドレスを付与し、着信側電話機１に送信する。
【００４７】
着信側電話機１の接続制御部１２は、着信側電話番号とサブアドレスを受信し、サブアドレスを含むパスワード検証要求を認証処理部１６に送信する（Ｓ４１）。
【００４８】
認証処理部１６は、ワンタイムパスワード生成部１３にワンタイムパスワードを要求する（Ｓ４３）。
【００４９】
ワンタイムパスワード生成部１３は、ワンタイムパスワード記憶部１４からワンタイムパスワードを読み出し、認証処理部１６に送信する（Ｓ４５）。
【００５０】
認証処理部１６は、ワンタイムパスワードを受信し、サブアドレスがワンタイムパスワードに一致するか否かを判定し（Ｓ４７）、判定結果を接続制御部１２に送信する（Ｓ４９）。
【００５１】
接続制御部１２は、サブアドレスがワンタイムパスワードに一致しているとの判定結果だったなら、制御部１１に鳴動指示を送信する（Ｓ５１）。これにより、制御部１１は、スピーカを鳴動させる（Ｓ５３）。制御部１１は、受話器がオフフックされると（Ｓ５５）、発信側電話機３の制御部３１とで、発信者と着信者の通話を行わせる（Ｓ５７）。
【００５２】
また、認証処理部１６は、サブアドレスがワンタイムパスワードに一致したなら、ワンタイムパスワード生成部１３にパスワード変更指示を送信する（Ｓ６１）。ワンタイムパスワード生成部１３は、ワンタイムパスワード記憶部１４のワンタイムパスワードを削除し（Ｓ６３）、新たなワンタイムパスワードを生成し、ワンタイムパスワード記憶部１４に記憶させる（Ｓ６５）。
【００５３】
図８は、着信側電話機１における発信後の詳細なフローチャートである。  
接続制御部１２は、着信側電話番号にサブアドレスが付与されているか否かを判定する（Ｔ１）。接続制御部１２は、着信側電話番号にサブアドレスが付与されていないなら（Ｔ１：ＮＯ）、留守番電話録音部１７に留守番電話録音を指示し（Ｔ３）、処理を終える。
【００５４】
一方、認証処理部１６は、着信側電話番号にサブアドレスが付与されているなら（Ｔ１：ＹＥＳ）、ワンタイムパスワード生成部１３にワンタイムパスワードを要求し、ワンタイムパスワード生成部１３からワンタイムパスワードを受信する（Ｓ４５）。
【００５５】
認証処理部１６は、サブアドレスがワンタイムパスワードに一致するか否かを判定する（Ｓ４７）。
【００５６】
接続制御部１２は、サブアドレスがワンタイムパスワードに一致しないなら（Ｔ４７：ＮＯ）、留守番電話録音部１７に留守番電話録音を指示し（Ｔ３）、処理を終える。
【００５７】
留守番電話録音部１７は、留守番電話録音を指示されたなら（Ｔ３）、通話を録音する。
【００５８】
接続制御部１２は、サブアドレスがワンタイムパスワードに一致したなら（Ｔ４７：ＹＥＳ）、制御部１１に鳴動指示を送信するとともに（Ｓ５１）、ワンタイムパスワード生成部１３にパスワード変更指示を送信し（Ｓ６１）、処理を終える。
【００５９】
ワンタイムパスワード生成部１３は、パスワード変更指示を受信したなら、ワンタイムパスワード記憶部１４のワンタイムパスワードを消去し、新たなワンタイムパスワードを生成し、ワンタイムパスワード記憶部１４に記憶させる。
【００６０】
したがって、第１の実施の形態によれば、ワンタイムパスワード発行要求が正当であれば、どの発信側電話機３からでも着信側電話機１を鳴動させることできる。また、ワンタイムパスワードを使用するので、それが漏洩しても、後からでは着信側電話機１を鳴動できず、第三者によっては着信側電話機１は鳴動できないという効果を得ることができる。また、サーバ２を使用するので、ログイン情報などは、インターネットの技術などを利用して、変更が容易であり、これにより、上記効果を高めることができる。
【００６１】
なお、第１の実施の形態では、サブアドレスがワンタイムパスワードに一致したら、着信側電話機１を鳴動させたが、これに限らず、一致した場合、予め定めた他の動作（例えば、留守番電話録音）がなされるようにしてもよい。後述の実施の形態でも同様である。
【００６２】
また、第１の実施の形態では、ログイン情報に発信者ＩＤおよびログインパスワードを使用したが、これに限らず、ログイン情報に発信者が所有する電話機のＩＤやＩＰアドレスを用いてもよい。後述の実施の形態でも同様である。
【００６３】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００６４】
図９は、ワンタイムパスワード記憶部１４の構成の一例を示す図である。  
ワンタイムパスワード記憶部１４には、１以上のワンタイムパスワードのそれぞれが、対応するワンタイムパスワード取得要求に含まれる発信側電話番号に対応づけられて記憶される。
【００６５】
次に、図１０、図１１を参照して、第２の実施の形態における電話システム１Ａの動作方法を説明する。  
第２の実施の形態では、ステップＳ１、Ｓ３は行われない。
【００６６】
一方、発信者は、着信側電話機１に発信しようとする場合、発信側電話機３のキーボードを操作し、自身の発信者ＩＤおよびログインパスワードからなるログイン情報、ならびに、発信しようとする着信側電話機１の着信側電話番号を入力する。
【００６７】
発信側電話機３の制御部３１は、ログイン情報および着信側電話番号を取得し、ログイン情報、着信側電話番号および予め記憶した発信側電話機３の発信側電話番号をウェブブラウザ３２に送信し（Ｓ１１）、ウェブブラウザ３２は、ログイン情報、着信側電話番号および発信側電話番号からなるワンタイムパスワード発行要求をサーバ２に送信する（Ｓ１３）。
【００６８】
ステップＳ１５では、認証処理部２２は、ワンタイムパスワード取得部２５に着信側電話番号だけでなく、着信側電話番号および発信側電話番号を送信し、ワンタイムパスワードを取得するよう指示する。
【００６９】
ワンタイムパスワード取得部２５は、ワンタイムパスワードを取得するよう指示されたなら、ワンタイムパスワード取得要求送信先記憶部２６から、着信側電話番号を含むレコードを検索し、ＩＰアドレスを読み出し（Ｓ１７）、対応する着信側電話機１にワンタイムパスワード取得要求を送信する（Ｓ１９）。ワンタイムパスワード取得要求には、発信側電話番号ならびに、サーバ２および着信側電話機１のＩＰアドレスが含まれる。
【００７０】
着信側電話機１のワンタイムパスワード送信部１５は、ワンタイムパスワード取得要求内のサーバ２のＩＰアドレスが予め記憶したＩＰアドレスであるか否か、つまり、サーバ２が許可されたサーバか否かを判定し（Ｓ２１）、そうであるなら、ワンタイムパスワード生成部１３に発信側電話番号を送信し、ワンタイムパスワードを要求する（Ｓ２３）。
【００７１】
ワンタイムパスワード生成部１３は、ワンタイムパスワードを生成し、生成したワンタイムパスワードを発信側電話番号に対応づけてワンタイムパスワード記憶部１４に記憶させ（Ｓ２５）、ワンタイムパスワードをワンタイムパスワード送信部１５に送信する（Ｓ２７）。なお、ワンタイムパスワード生成部１３は、既に発信側電話番号にワンタイムパスワードが対応づけられている場合は、つまり、前回使用されたワンタイムパスワードがある場合は、ワンタイムパスワードを消去し、新たなワンタイムパスワードを発信側電話番号に対応づける（Ｓ２５）。  
ステップＳ２９からＳ３５は、第１の実施の形態と同様であるから、説明を省略する。
【００７２】
図１１に進み、ステップＳ３７、Ｓ３９は、第１の実施の形態と同様であるから、説明を省略する。
【００７３】
着信側電話機１の接続制御部１２は、着信側電話番号とサブアドレスを受信し、また、発信側電話番号を取得し、サブアドレスおよび発信側電話番号を含むパスワード検証要求を認証処理部１６に送信する（Ｓ４１）。
【００７４】
認証処理部１６は、ワンタイムパスワード生成部１３に発信側電話番号を送信し、ワンタイムパスワードを要求する（Ｓ４３）。
【００７５】
ワンタイムパスワード生成部１３は、ワンタイムパスワード記憶部１４から発信側電話番号に対応づけられたワンタイムパスワードを読み出し、認証処理部１６に送信する（Ｓ４５）。
【００７６】
ステップＳ４７からＳ５５は、第１の実施の形態と同様であるから、説明を省略する。また、第２の実施の形態では、ステップＳ６１からＳ６５は行われない。
【００７７】
したがって、第２の実施の形態によれば、発信側電話番号ごとにワンタイムパスワードを生成するので、ワンタイムパスワードが漏洩しても、発信側電話番号に対応する発信側電話機３以外からでは、着信側電話機１は鳴動せず、つまり、第三者により着信側電話機１が鳴動させられることを防止することができる。
【００７８】
また、ステップＳ６１からＳ６５を行わず、つまり、発信側電話番号を残しておくことで、後から発信側電話番号を確認することができる。
【００７９】
［第３の実施の形態］
次に、本発明の第３の実施の形態について説明する。第３の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００８０】
図１２は、第３の実施の形態におけるワンタイムパスワード記憶部１４の構成の一例を示す図である。
【００８１】
ワンタイムパスワード記憶部１４には、１以上のワンタイムパスワードのそれぞれが、対応するワンタイムパスワード取得要求に含まれる着信側電話番号に対応づけられて記憶される。各着信側電話番号は、当該着信側電話番号を含むワンタイムパスワード記憶部１４を備える同一の着信側電話機１に割り当てられたものである。
【００８２】
次に、図１３、図１４を参照して、第３の実施の形態における電話システム１Ａの動作方法を示すシーケンス図である。  
第３の実施の形態では、ステップＳ１、Ｓ３は行われない。
【００８３】
一方、発信者は、複数の着信側電話番号を割り当てられた着信側電話機１に発信しようとする場合、発信側電話機３のキーボードを操作し、自身の発信者ＩＤおよびログインパスワードからなるログイン情報、ならびに、複数の着信側電話番号から選択した所望の着信側電話番号を入力する。
【００８４】
発信側電話機３の制御部３１は、ログイン情報および着信側電話番号を取得し、ログイン情報および着信側電話番号をウェブブラウザ３２に送信する（Ｓ１１）。ウェブブラウザ３２は、ログイン情報および着信側電話番号からなるワンタイムパスワード発行要求をサーバ２に送信する（Ｓ１３）。
【００８５】
サーバ２のワンタイムパスワード送信部２１は、ワンタイムパスワード発行要求を受信し、認証処理部２２に送信する。
【００８６】
認証処理部２２は、ワンタイムパスワード発行要求が正当か否かを判定する（Ｓ１５）。
【００８７】
ワンタイムパスワード取得部２５は、ワンタイムパスワード発行要求が正当であり、ワンタイムパスワードを取得するよう指示されたなら、ワンタイムパスワード取得要求送信先記憶部２６から、着信側電話番号を含むレコードを検索し、ＩＰアドレスを読み出し（Ｓ１７）、対応する着信側電話機１にワンタイムパスワード取得要求を送信する（Ｓ１９）。ワンタイムパスワード取得要求には、着信側電話番号ならびに、サーバ２および着信側電話機１のＩＰアドレスが含まれる。
【００８８】
着信側電話機１のワンタイムパスワード送信部１５は、ワンタイムパスワード取得要求内のサーバ２のＩＰアドレスが予め記憶したＩＰアドレスであるか否か、つまり、サーバ２が許可されたサーバか否かを判定し（Ｓ２１）、そうであるなら、ワンタイムパスワード生成部１３に着信側電話番号を送信し、ワンタイムパスワードを要求する（Ｓ２３）。
【００８９】
ワンタイムパスワード生成部１３は、ワンタイムパスワードを生成し、生成したワンタイムパスワードを着信側電話番号に対応づけてワンタイムパスワード記憶部１４に記憶させ（Ｓ２５）、ワンタイムパスワード送信部１５に送信する（Ｓ２７）。なお、ワンタイムパスワード生成部１３は、既に着信側電話番号にワンタイムパスワードが対応づけられている場合は、つまり、前回使用されたワンタイムパスワードがある場合は、ワンタイムパスワードを消去し、新たなワンタイムパスワードを着信側電話番号に対応づける（Ｓ２５）。
【００９０】
ステップＳ２９からＳ３５は、第１の実施の形態と同様であるから、説明を省略する。
【００９１】
図１４に進み、ステップＳ３７、Ｓ３９は、第１の実施の形態と同様であるから、説明を省略する。
【００９２】
着信側電話機１の接続制御部１２は、着信側電話番号とサブアドレスを受信し、サブアドレスおよび着信側電話番号を含むパスワード検証要求を認証処理部１６に送信する（Ｓ４１）。
【００９３】
認証処理部１６は、ワンタイムパスワード生成部１３に着信側電話番号を送信し、ワンタイムパスワードを要求する（Ｓ４３）。
【００９４】
ワンタイムパスワード生成部１３は、ワンタイムパスワード記憶部１４から着信側電話番号に対応づけられたワンタイムパスワードを読み出し、認証処理部１６に送信する（Ｓ４５）。
【００９５】
ステップＳ４７からＳ５５は、第１の実施の形態と同様であるから、説明を省略する。また、第３の実施の形態では、ステップＳ６１からＳ６５は行われない。
【００９６】
したがって、第３の実施の形態によれば、着信側電話番号ごとにワンタイムパスワードを生成するので、ある着信側電話番号について生成されたワンタイムパスワードが別の着信側電話番号について使用できてしまうという不都合を防止することができる。
【００９７】
また、ステップＳ６１からＳ６５を行わず、つまり、着信側電話番号を残しておくことで、後から着信側電話番号を確認することができる。
【００９８】
［第４の実施の形態］
次に、本発明の第４の実施の形態について説明する。第４の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００９９】
図１５は、第４の実施の形態における電話システム１Ａの動作方法を示すシーケンス図である。  
ステップＳ１、Ｓ３は、第１の実施の形態と同様であるから、説明を省略する。
【０１００】
第４の実施の形態では、発信者に対し、電子メールやＳＭＳによって、ワンタイムパスワードが通知され、発信者は、着信側電話機１に発信しようとする場合、発信側電話機３のキーボードを操作し、ワンタイムパスワードおよび着信側電話機１の着信側電話番号を入力する。
【０１０１】
制御部３１は、入力されたワンタイムパスワードと同じサブアドレスならびに入力された着信側電話番号を含む発信指示を接続制御部３３に送信する（Ｓ７１）。
【０１０２】
接続制御部３３は、発信指示に含まれた着信側電話番号に対応する着信側電話機１に発信する（Ｓ７３）。接続制御部３３は、このとき、着信側電話番号にサブアドレスを付与し、着信側電話機１に送信する。
【０１０３】
以降、第１の実施の形態のステップＳ４１からＳ６５が行われるが、重複となるので、説明は省略する。
【０１０４】
したがって、第４の実施の形態によれば、サーバ２を設けなくても、どの発信側電話機３からでも着信側電話機１を鳴動させることできる。また、ワンタイムパスワードを使用するので、それが漏洩しても、後からでは着信側電話機１を鳴動できず、第三者によっては着信側電話機１は鳴動できないという効果を得ることができる。
【０１０５】
なお、着信側電話機１やサーバ２としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１０６】
１  着信側電話機
１Ａ  電話システム
２  サーバ
３  発信側電話機
１１、３１  制御部（インタフェース制御部）
１２、３３  接続制御部
１３  ワンタイムパスワード生成部
１４  ワンタイムパスワード記憶部
１５、２１  ワンタイムパスワード送信部
１６、２２  認証処理部
１７  留守番電話録音部
２３  ログイン情報記憶部
２４  発信許可者情報記憶部
２５  ワンタイムパスワード取得部
２６  ワンタイムパスワード取得要求送信先記憶部
３２  ウェブブラウザ
【図１】
0005707363.tif 000002
【図２】
0005707363.tif 000003
【図３】
0005707363.tif 000004
【図４】
0005707363.tif 000005
【図５】
0005707363.tif 000006
【図６】
0005707363.tif 000007
【図７】
0005707363.tif 000008
【図８】
0005707363.tif 000009
【図９】
0005707363.tif 000010
【図１０】
0005707363.tif 000011
【図１１】
0005707363.tif 000012
【図１２】
0005707363.tif 000013
【図１３】
0005707363.tif 000014
【図１４】
0005707363.tif 000015
【図１５】
0005707363.tif 000016
【図１６】
0005707363.tif 000017